(57)【要約】【課題】撮影により得られた画像に対して、他の画像が合成されることによりユーザの意図と異なった画像が形成されることを防ぐ写真自動販売機を提供する。【解決手段】ディスプレイの前に透明部材を設ける。この部材には、フレーム画像（撮影された画像の周りを縁取る画像）が合成される領域２０ｂが示されている。これによりユーザはフレーム画像が合成された後のイメージ（図（Ｂ））を意識しながら、写真撮影を行なうことができる。【選択図】　　　　図７
2004104685.tif 000002
【特許請求の範囲】
【請求項１】
被写体を撮影する撮影手段と、
前記撮影手段により撮影された被写体の画像を表示する表示部と、
前記撮影手段により撮影された被写体の画像に対して他の画像を合成する合成手段とを備え、
前記表示部は、前記合成手段によって他の画像が合成される位置を示す部材を含んでいることを特徴とする、写真撮影装置。
【請求項２】
前記部材は、表示画面の前に位置する、透明部材に画像が合成される位置を描いた部材である、請求項１に記載の写真撮影装置。
【請求項３】
前記部材は、複数の合成画像のそれぞれに対応させた複数の位置を示す、請求項１または２に記載の写真撮影装置。
【請求項４】
前記部材が複数存在し、その中の少なくとも一部を前記表示部にセットすることが可能となるように構成されている、請求項１〜３のいずれかに記載の写真撮影装置。
【発明の詳細な説明】
【０００１】
【発明の属する技術分野】
この発明は写真撮影装置に関し、特に撮影により得られた画像に対して他の画像を合成することができる写真撮影装置に関する。
【０００２】
【従来の技術】
従来より、利用者のコイン投入と操作とに基づいて利用者である被写体を撮影し、それにより得られた画像をシールなどの記録媒体にプリントして提供する写真撮影装置が知られている。
【０００３】
また、このような写真撮影装置において、撮影された画像に対してフレーム画像などの他の画像を合成して画像のプリントを行なうものが知られている。ここにいうフレーム画像とは、撮影された画像の周りを縁取り、額縁（または枠）のようにするための画像である。フレーム画像の合成により、画像の美観に変化を加えることができる。
【０００４】
このような画像の合成を行なう写真撮影装置に関して、利用者がフレーム画像を選択すると、選択されたフレーム画像と撮影装置に取込まれている画像とをビデオキャプチャボードを用いて合成して、リアルタイムで表示装置に表示するものが知られている。利用者は表示装置に表示された画像を確認してポーズをとりながら撮影を行なう（従来技術１）。このとき、リアルタイムで表示装置に自分の画像に加えてフレーム画像が表示されるため、利用者はフレーム画像の位置を確認しながら撮影を行なうことができる。
【０００５】
また、利用者の全身撮影と、顔をアップにした撮影との両方が行なわれる写真撮影装置において、撮影部で撮影された画像を表示装置に表示し、ユーザがタブレットペンなどの入力装置で表示された撮影画像の上に画像を描くことができるものが知られている。装置は、撮影画像と描かれた画像とを合成してその画像をシールなどにプリントする。ここで、画像を描く方法としては、タブレットペンで文字を書いたり、スタンプ画像を挿入したり、背景を塗ったり、撮影画像の周囲を装飾するフレーム画像を嵌め込んだりするものがある（従来技術２）。
【０００６】
また、画像合成に関連する技術として、以下の３つの特許文献（特許文献１〜３）が存在する。
【０００７】
特許文献１では、顔画像が規格された大きさで記録された写真を作成するために、被撮影者が自分の顔の大きさを判定する指標付のミラーを設けた写真作成装置が開示されている。
【０００８】
特許文献２においては、フレーム画像中の撮影範囲領域を被写体のサイズや形に応じて任意に変更することができるようにした、映像プリント遊技装置が開示されている。
【０００９】
特許文献３においては、撮影画像などの元の画像情報とその中でプリントされる領域とを表示器の表示画面上に明示し、どの部分の画像情報がプリントできないかをユーザが容易に認識することができるようにしたデジタルカメラおよびデジタルカメラ用プリンタが開示されている。
【００１０】
【特許文献１】
特開平６−８８９９８号公報
【００１１】
【特許文献２】
特開２００１−３１３８８８号公報
【００１２】
【特許文献３】
特開２００２−９４９０１号公報
【００１３】
【発明が解決しようとする課題】
ところが、上述の従来の技術においては以下に述べるような問題があった。
【００１４】
まず、従来技術１では、撮影装置からの画像と記憶手段から読出したフレーム画像とをビデオキャプチャボードに入力し画像合成を行ない、合成された画像を表示装置に表示するため、高価なビデオキャプチャボードを装置に搭載する必要があり、装置のコストアップにつながっていた。
【００１５】
また、従来技術２では、利用者は撮影時にフレーム画像がどのように合成されるかを確認できないという問題がある。また、撮影後に撮影画像とフレーム画像とをソフトウェアの画像処理によって合成するために、被写体の顔などの一部がフレーム画像と重なってしまうことがあるという問題がある。
【００１６】
すなわち、たとえば図１３（Ａ）に示されるように、利用者が表示装置に自分の顔を表示させて撮影を行なうのであるが、このとき画面にはフレーム画像その他の合成される画像が表示されていない。このため、実際にフレーム画像を合成するときには、図１３（Ｂ）のように予期せぬ部分（たとえば顔や髪の毛の一部など）が合成される画像によって隠れてしまい、予想と異なるプリント物が提供されることがあるのである。
【００１７】
この発明は上述の問題点を解決するためになされたものであり、ユーザが撮影される画像と他の画像との合成後のイメージを確認することが可能な写真撮影装置を提供することを目的としている。
【００１８】
またこの発明は、ユーザが表示部全体に表示される被写体の画像を確認できる写真撮影装置を提供することを目的としている。
【００１９】
【課題を解決するための手段】
上記目的を達成するためこの発明のある局面に従うと、写真撮影装置は、被写体を撮影する撮影手段と、撮影手段により撮影された被写体の画像を表示する表示部と、撮影手段により撮影された被写体の画像に対して他の画像を合成する合成手段とを備え、表示部は、合成手段によって他の画像が合成される位置を示す部材を含んでいることを特徴とする。
【００２０】
この発明に従うと、撮影された被写体の画像を表示する表示部に、合成手段によって他の画像が合成される位置を示す部材が備えられる。これにより、合成される他の画像を表示部に表示しなくても、撮影される画像と他の画像との合成後のイメージを確認することが可能となり、合成される他の画像に被らないようにポーズをとることが容易になる。
【００２１】
好ましくは部材は、表示画面の前に位置する、透明部材に画像が合成される位置を描いた部材である。
【００２２】
この発明に従うと、表示画面の前の透明部材により画像合成位置を示すことができるため、表示部全体に表示される被写体の画像を確認できるため、合成される位置を示す部材に拘わることなく、従来どおり自由なポーズでの撮影が可能となる。
【００２３】
つまり、被写体である利用者が、撮影後に撮影画像と他の画像との合成を好まない場合には、被写体をより大きく撮影することが可能となる。
【００２４】
好ましくは部材は、複数の合成画像のそれぞれに対応させた複数の位置を示す。
【００２５】
この発明に従うと、複数の合成画像のそれぞれに対応させた複数の位置が部材により示されるため、利用者は自分の選択したい合成画像に合わせた撮影を行なうことができる。
【００２６】
好ましくは部材は複数存在し、その中の少なくとも一部を表示部にセットすることが可能となるように写真撮影装置は構成される。
【００２７】
この発明に従うと、複数の部材の中から所望のものを少なくとも一部選択して利用者が表示部にセットすることができるため、利用者は自分の必要とする合成画像に合わせた撮影を行なうことができる。
【００２８】
【発明の実施の形態】
以下に、図面を参照しつつ、本発明の実施の形態について説明する。以下の説明では、同一の部品および構成要素には同一の符号を付してある。それらの名称および機能も同じである。したがってそれらについての詳細な説明は繰返さない。
【００２９】
図１は、本発明の実施の形態の１つにおける写真自動販売機の外観を示す斜視図である。本実施の形態においては、写真撮影装置は写真自動販売機として用いられている。図１を参照して、本実施の形態における写真自動販売機は、パーソナルコンピュータ（以下、ＰＣという）１０１（図４参照）などの各種機器類を収める筐体１と、筐体１とともに撮影ブース４を形成するパネル２と、フレーム材３とを含む。このような写真自動販売機において、被写体であるユーザ１５は、筐体１、パネル２およびフレーム材３にて構成される撮影スペースである撮影ブース４内に入り、筐体１に相対する向きで撮影を行なう。なお、以降の説明において、便宜上、筐体１の紙面に対して左側の面（ユーザ１５から遠い側の面）を背面とする。また、筐体１の紙面に対して右側の面（ユーザ１５が相対する面）を正面とする。また、本実施の形態においては、被写体がユーザ１５であるものとして説明を行なうが、被写体はユーザ１５に限定されず、その他の物体であってもかまわない。また、被写体であるユーザ１５は、図１においては、１人であるものとして示されているが、複数であってもかまわない。
【００３０】
上述のパネル２が木製である場合には、パネル２は左側面（図１の手前側）、右側面（図１の奥側）、背面（図１の右側）、および天井面（図１の上側）などに大きく分割される。さらに、背面のパネル２は大きいことから、上下または左右に２枚に分割されている場合がある。また、撮影ブース４の内部となる、パネル２の内面は、照明の反射による間接光を得ることを目的とする場合は白色、逆に光を吸収させたいときは黒色、クロマキー合成を行なう目的のときは青色などの色彩が施される。すなわち、パネル２の内面の色は、写真自動販売機がどのような撮影を行なうかによって、設計開発時に適宜選ばれる。また、パネル２は、布またはビニール材で代替することもでき、その場合には、フレーム材３に弛みなく張られた状態で固定される。
【００３１】
プリンタ１２は、撮影された画像を紙やシールや金属やプラスチックなどの印刷媒体に印刷するためのプリンタであって、昇華型プリンタやサーモオートクローム方式（光定着型直接感熱記録方式）などのプリンタが一般的に用いられる。なお、本実施の形態においては、プリンタ１２でシールが印刷されるものとして説明を行なうが、印刷媒体はシールに限定されず、上に示す他の印刷媒体であっても同様の処理が実行される。
【００３２】
さらに、撮影ブース４内には背景カーテン５が配備され、撮影時の背景として用いられる。背景の色によって、被写体の写り方、特に色調が変ってくるため、さまざまな色、柄のカーテンが複数枚用意されている。また、背景カーテン５が備えられていなくてもかまわない。さらに、背景カーテン５は、巻上げ式、引出し方式など、ユーザ１５の操作によりセットされてもよいし、操作部５１（図２参照）などを操作することで自動でセットされてもよい。背景カーテン５は、さまざまな種類が配備されることで、撮影における遊びの要素ともなり得る。
【００３３】
また、ユーザ１５が撮影ブース４内に出入りできるように、写真自動販売機の側面は開けられているが、撮影が妨げられないよう、また外部光を遮断するためなどの理由で、その側面にサイドカーテン６が備えられている。なお、撮影ブース４への出入りが一方の側面のみである場合には、その側面にのみサイドカーテン６が備えられる。また、両側面から出入りできる場合には、両側面にサイドカーテン６が備えられていてもよい。ユーザ１５は、撮影を行なう際には、このサイドカーテン６を開けて撮影ブース４に入り、撮影時はサイドカーテン６を閉める。なお、サイドカーテン６の裏面（撮影ブース４の内側）の色などは、背景カーテン５やパネル２内面と同様の理由で適宜選ばれる。
【００３４】
さらに、写真自動販売機の外側には、お絵描きブース５３とプリント取出口９とが備えられる。
【００３５】
お絵描きブース５３は、筐体１の背面に備えられる。お絵描きブース５３は、撮影により得られた画像を表示し、画像の編集を受付けるタブレットディスプレイ１３と、画像入力を行なうためのタブレットペン１４ａと、ユーザに対し音楽や操作方法の説明などを音声で出力するスピーカ２３ｃとを含んでいる。
【００３６】
プリント取出口９は、筐体１の側面に備えられ、箱型の形状を奏している。プリンタ１２でプリントされた写真は排出され、ここに落とされる。そして、ユーザ１５は、プリント取出口９よりプリントされた写真を取出す。なお、プリント取出口９付近には、印刷中ＬＥＤ（Ｌｉｇｈｔ　Ｅｍｉｔｔｉｎｇ　Ｄｉｏｄｅ）１０および印刷エラーＬＥＤ１１とが備えられ、それらが点灯あるいは点滅することによって、ユーザ１５は、印刷中であるという状態、あるいは印刷中に用紙切れ、インク切れ、用紙詰り、メカニカルエラーなどのエラーが発生しているという状態を知ることができる。
【００３７】
図２は、上述の筐体１を正面（撮影ブース４内方向）から見た斜視図である。図２を参照して、筐体１の正面、すなわち被写体であるユーザ１５と相対する面には、カメラ２１と、モニタ（カメラ２１により写されている映像をリアルタイムで表示するライブモニタ）２２と、デモンストレーション（以下、「デモ」と略す）音声や、ＢＧＭ、操作方法などのアナウンスを出力するスピーカ２３ａ，２３ｂと、デモ画面や撮影中の操作手順、ユーザ１５へのアナウンスなどを表示するディスプレイ１３ａと、対価である硬貨を投入すためのコイン投入口２６と、前面のメンテナンスなどを行なうためのドアであって、錠２７によって施錠されているフロントドア２８とが備えられる。
【００３８】
また、筐体１のカメラ２１の周囲には、蛍光灯やフラッシュなどを内蔵し、被写体の照明を行なうための照明ボックス１８ａ〜１８ｃが備えられている。また、筐体１には、ユーザ１５からの操作を入力する操作部５１が備えられている。
【００３９】
カメラ２１で撮影された画像はリアルタイムにモニタ２２に表示され、これによりユーザは撮影により得られる画像を知ることができる。
【００４０】
カメラ２１としては、一般にデジタルカメラが用いられる。一般的なデジタルカメラで設定できる項目（たとえばシャッタスピード、絞り値、露出補正、ホワイトバランスなど）の変更や、撮影タイミングは、ＰＣ１０１（図４参照）から指示される。
【００４１】
さらに、筐体１の上面には、筐体１内部の熱を逃がすためのファンや、外部装置への画像の配信、リモートメンテナンスなどの、外部装置との通信を行なうときにケーブルを差込むためのＬＡＮ（Ｌｏｃａｌ　Ａｒｅａ　Ｎｅｔｗｏｒｋ）ケーブル差込口などが備えられていることが好ましい。なお、このようなファンは、筐体１内部の熱を逃がす目的で備えられるものであるため、筐体１の上面に限定されず、熱を発生しやすい機器類の近傍などの他の場所に備えられても、また複数備えられてもかまわない。また、ＬＡＮケーブル差込口が備えられる位置も、ケーブルの配線の取り回しが容易な位置であれば筐体１の上面に限定されない。
【００４２】
図３は、筐体１を背面（お絵描きブース５３方向）から見た斜視図である。
図を参照して、筐体１にはタブレットディスプレイ１３と、２本のタブレットペン１４ａ，１４ｂと、スピーカ２３ｃ，２３ｄとが備えられている。
【００４３】
タブレットディスプレイ１３は、筐体１の撮影を行なう面とは逆の面に備えられるディスプレイであって、撮影後の画像を表示する。また、ユーザ１５より、撮影により得られた画像に対してタブレットペン１４ａ，１４ｂを用いた編集入力（落書き）を受付ける。なお、タブレットペン１４ａ，１４ｂは、ペン形状の入力装置であって、タブレットディスプレイ１３にタッチすることで、背景、スタンプ、フレームなどの画像や文字の入力、または使用する項目（ボタン）の選択、操作の選択などの入力をすることができる。タブレットペン１４は、１つのみ備えられてもよいし、図３に示されるように複数のユーザ１５で編集入力が可能なように複数備えられていてもよい。
【００４４】
次に、図４に、本実施の形態における写真自動販売機の機能ブロック図を示し、写真自動販売機の機能について説明する。
【００４５】
図４を参照して、写真自動販売機は、当該自動販売機を動作させるためのＰＣ１０１と、基板から構成され、動作中のＰＣ１０１からの指示を受付けて、接続されている各種装置を制御する制御部１０２とを備える。
【００４６】
上述のＰＣ１０１は、ＰＣ１０１の制御を行なう演算装置であるＣＰＵ（Ｃｅｎｔｒａｌ　Ｐｒｏｃｅｓｓｉｎｇ　Ｕｎｉｔ）と、装置を動作させるためのプログラムおよびプログラムで必要なグラフィックデータ、音声データ、撮影された画像や撮影画像に対して入力した編集画像その他の各種画像などを記憶する記憶装置と、プログラムの一時的な作業領域ともなるメモリと、カメラ２１、プリンタ１２、タブレットディスプレイ１３などの周辺機器を制御するためのソフトウェアであるドライバと、ＬＡＮケーブルを介して外部機器と接続された場合に通信を行なう通信部とを含む。なお、ＰＣ１０１は、電源スイッチ２９が押され、当該写真自動販売機に電源プラグより電源が投入されると、上記プログラムが起動されて動作する。
【００４７】
また、写真自動販売機は、電源を必要とするモニタ２２、スピーカ２３、および照明装置３０などの電源系統を制御する電源制御部１０３を備え、外部からそれらの装置に対する電源の電圧を安定させるよう制御する。さらに、そのような電源の投入および切断は、電源スイッチ２９を押すことで行なわれる。しかし、電源切断によりＰＣ１０１で動作しているプログラムを強制的に終了させることは、動作を不安定にさせる原因となる。そのため、電源が落とされても、しばらくはＵＰＳ（Ｕｎｉｎｔｅｒｒｕｐｔｅｄ　Ｐｏｗｅｒ　Ｓｕｐｐｌｙ）１０４が電源をバックアップし、ＰＣ１０１に停電信号を送信する。その間に、ＰＣ１０１はプログラムの終了の手続を行ない、プログラムを正常に終了させる。
【００４８】
上述の制御部１０２は、サービスパネル１０５から制御信号を受付ける。サービスパネル１０５は、投入されたコインの枚数をカウントするコインカウンタ、印刷されたプリントの枚数をカウントするプリントカウンタ、スピーカ２３から出力する音声のボリューム、テストモードを行なうためのテストボタン、コインを投入しなくても装置が利用できるようにするためのサービスボタンなどを備えるパネルであって、当該写真自動販売機の設置者が各種設定やメンテナンスの操作を行なう際に用いる。
【００４９】
また、制御部１０２は、操作部５１、サービスパネル１０５、コイン制御部１０７からの信号を受付けＰＣ１０１に通知したり、逆に、ＰＣ１０１からの制御信号（指示コマンドなど）によりサービスパネル１０５、フラッシュ制御部、フラッシュ、コイン制御部１０７、印刷中ＬＥＤ１０、印刷エラーＬＥＤ１１を制御したりする。
【００５０】
コイン制御部１０７は、コイン投入口２６に投入されたコインの正当性を検出し、制御部１０２にコインが投入された信号を送る。逆に、コイン投入を禁止するときは、コイン制御部１０７は制御部１０２からの信号によりコイン投入口をブロックすることができる。
【００５１】
サービスパネル１０５は、テストボタン、サービスボタンが押下された信号を制御部１０２に送る。逆に、制御部１０２からの信号により、コインカウンタ、プリントカウンタを動作させる（たとえばカウンタを１インクリメントする）。また、ＰＣ１０１から出力される音声を、サービスパネル１０５上のボリュームおよび制御部１０２を介してスピーカ２３へ出力する。
【００５２】
操作部５１は、操作部５１での入力信号を制御部１０２に送る。入力信号がＰＣ１０１に送信され、ＰＣ１０１では、操作内容に応じた処理が行なわれる。
【００５３】
さらに、プリンタ１２の状態がＰＣ１０１に通知され、ＰＣ１０１は、その状態に応じて制御部１０２に信号を送出する。その信号によって、印刷中ＬＥＤ１０または印刷エラーＬＥＤ１１が点灯または点滅する。
【００５４】
なお、いうまでもなく、写真自動販売機の形態は図１〜図４に示される具体例に限定されるものではない。すなわち、図１〜図４に記載されない他の機能が備えられていてもよいし、図１〜図４に記載されている機能がすべて備えられていなくてもかまわない。たとえば、プリンタ１２は写真自動販売機に含まれていなくてもよく、その場合、写真自動販売機は、ＬＡＮなどの専用回線や無線通信などを介して印刷制御信号をプリンタ１２に出力するものとする。
【００５５】
次に、図５のフローチャートを用いて、本実施の形態における写真自動販売機での処理について説明する。図５のフローチャートに示される処理は、ＰＣ１０１のＣＰＵが、記憶装置に記憶されるプログラムをメモリに読出して実行することによって実現される。
【００５６】
まず、当該写真自動販売機に備わる電源スイッチ２９が投入されると、各種装置の電源が投入される。すると、ＰＣ１０１の記憶装置に格納された動作プログラムが起動する。ＰＣ１０１は、各種装置が正常に接続されているかチェックし、初期化が必要な装置に対しては初期化を行なう。その後、当該写真自動販売機の利用を促すタイトルデモをディスプレイ１３ａに表示し、同時に音声をスピーカ２３ａ，２３ｂから出力する（Ｓ１００）。
【００５７】
タイトルデモが表示されている状態で、コイン投入口２６において、当該写真自動販売機を利用するためのコインの投入を受付ける（Ｓ１１０）。なお、上述のコインの受付けに代えて、タイトルデモ表示中にテストボタンを押下することによって、当該写真自動販売機のメンテナンスを行なうためのテストモードが起動する。
【００５８】
テストモードは、写真自動販売機の設置者が写真自動販売機を操作するためのモードであり、このモードにおいては当該写真自動販売機の利用状況（たとえばコイン投入数など）の確認や、カメラ２１、プリンタ１２など周辺機器の調整ができる。
【００５９】
ここで写真自動販売機の設置者とは、当該写真自動販売機を設置し営業を行なっている店舗などの経営者、管理者、および従業員であり、営業中に、利用者に対応できるものである。
【００６０】
ステップＳ１１０で受付けたコインは、コイン制御部１０７において正当性や枚数などが検知される。そして、正常にコインを受付けるとプレイが開始される。
【００６１】
まず、当該写真自動販売機における処理（プレイ）は、撮影から始まる。はじめに、カメラ２１が取得する画像を、モニタ２２にリアルタイムに表示する。ユーザ１５は、モニタ２２に表示される画像を見ながら、好みの表情やポーズをとることができる。なお、ここではカメラ２１が取得した画像をそのままモニタ２２に表示してもかまわないし、左右に反転処理して表示してもかまわない。左右に反転処理して表示した場合、ユーザ１５の姿を鏡に写す方向と同じ方向でモニタ２２に表示することができる。そのため、ユーザ１５は、モニタ２２を見ながら好みの表情やポーズをとることが容易になる。
【００６２】
次に、撮影方法に複数のモードがある場合は、その選択肢を操作ディスプレイ１３ａに提示し、操作部５１のボタンなどで好みの撮影モードをユーザ１５から受付ける（Ｓ１２０）。そして、選択された撮影モードで撮影を開始する（Ｓ１３０）。
【００６３】
また、ここでは、撮影モードだけでなく、ディスプレイ１３ａに表示される操作画面およびスピーカ２３ａ，２３ｂから流れる音声に従って、背景カーテン５の選択をしたり、カメラ２１を好みの位置に移動させたり、カメラ２１を回転、または向きを調整したりすることができる。これらの指示は、操作部５１などで受付ける。さらに、カメラ２１の近傍などにカメラ２１の向きやズームなどの指示を行なうボタンなどが備えられる場合には、それによってカメラ２１の向きやズームなどの指示を受付ける。そして、受付けた撮影モードや背景カーテン５などで撮影が行なわれる。
【００６４】
撮影は、時間経過とともに「３、２、１」などのカウントダウンをディスプレイ１３ａあるいはスピーカ２３ａ，２３ｂに出力して自動で行なうことができる。また、カメラ２１の近傍に設けられた撮影ボタン（図示せず）を押下することで行なってもよい。
【００６５】
撮影は、ＰＣ１０１からカメラ２１に撮影信号が送信されることでシャッタが切られ、実行される。ステップＳ１３０では、このような撮影を所定回数繰返し行なう。
【００６６】
撮影が終了すると、撮影した画像をタブレットディスプレイ１３にすべて表示する。そして、その中からユーザ１５が気に入った画像をタブレットペン１４のタッチによって受付ける（Ｓ１４０）。
【００６７】
ユーザ１５からの選択を受付けると、選択された画像をタブレットディスプレイ１３に表示する。そして、さらに撮影画像自体の明るさ調整（ハイキー調整）、回転などの画像処理を行なう画面が表示され、ユーザ１５の好みにより撮影した画像を調整または加工することができる。
【００６８】
次に、選択された撮影画像に対して、ユーザ１５からタブレットペン１４により編集入力を受付ける（Ｓ１５０）。
【００６９】
編集入力中、タブレットディスプレイ１３に、撮影された画像と入力する画像とを切換えるためのボタンや、画像を切換えて編集を行なうための「背景」「フレーム」「ペン」「スタンプ」「消しゴム」「やり直し」などのボタンを表示する。ユーザ１５は、これらのボタンをタブレットペン１４で押すことで使用するツールを選択する。さらに、色、柄などを選択した後、表示された画像上で編集入力を行なう。編集中には、編集入力された画像と撮影された画像との画像合成をリアルタイムに実行し、タブレットディスプレイ１３に表示する。
【００７０】
編集入力時間は、予め設定されている。そして、タブレットディスプレイ１３上に残り時間を表示し、カウントダウンを行なう。残り時間が０になると編集入力が終了する。または、画面に容易された「終了」ボタンを押すことで強制的に終了させることもできる。
【００７１】
編集入力が終了すると、合成された画像をタブレットディスプレイ１３に表示する。そして、ユーザ１５から、シールなどの印刷媒体に印刷する画像の選択を受付ける（Ｓ１６０）。また、編集入力に失敗した画像などを印刷しないような選択を受付けることもできる。
【００７２】
そして、選択された画像の枚数に応じて、予め決められた複数の印刷レイアウトをタブレットディスプレイ１３に表示し、ユーザ１５の選択を受付ける（Ｓ１７０）。
【００７３】
印刷する画像の選択と印刷レイアウトの選択とを受付けると、プリンタ１２に、印刷画像データと印刷レイアウトデータとを含む印刷制御信号を出力する。さらに、ユーザ１５をプリンタ１２の前に誘導するアナウンス（たとえば「シールは右から出るよ！」）を表示する。そして、プリンタ１２で印刷を実行し（Ｓ１８０）、プリント取出口９よりユーザ１５に提供する（Ｓ１９０）。
【００７４】
以上の処理が、１組のユーザ１５が本実施の形態の写真自動販売機で行なうプレイである。そして、上述の処理を終了すると、次にコインが投入されるまで、再度タイトルデモをスピーカ２３およびディスプレイ１３ａから出力する。
【００７５】
図６は、図２のモニタ２２を正面から見た図である。
図を参照して、モニタ２２にはモニタ２２を保護し、かつ画像を合成する位置を示すための透明部材がその正面に設けられている。透明部材はその領域に応じて領域２０ａ、領域２０ｂ、および領域２０ｃに分かれている。カメラ２１により撮影された画像が表示される領域は２０ｂ，２０ｃであり、２０ａは透明部材を筐体１に取付けるための余白の部分である。
【００７６】
領域２０ａ，２０ｃは完全に透明である。撮影された画像が表示される領域の外縁に当る領域２０ｂはドットなどによりその領域の存在がユーザに対してわかるように構成されている。
【００７７】
この領域２０ｂは撮影された画像に対してフレーム画像が合成される領域であり、ユーザはこれにより画像のどの部分にフレーム画像が合成されるかをリアルタイムで知ることができる。これにより、図１３に示したようにユーザの予期しない部分に画像が合成され、ユーザの予期しない出力となってしまうことが防止される。
【００７８】
また、ユーザはフレーム画像を合成するか否かを選択することができるため、フレーム画像を必要としない場合は、領域２０ｂの外周一杯に画像を撮影することが可能である。
【００７９】
なお、本実施の形態においては領域２０ｂをドットで示すこととしたが、これに限らず領域２０ｂと領域２０ｃとをラインだけで区別するようにしてもよい。また、「フレーム画像が描かれる部分」などの説明文を筐体または透明部材の上に記載するようにしてもよい。
【００８０】
また、フレームがある場合とない場合の撮影領域をスピーカやディスプレイでユーザに対し説明するようにしてもよい。
【００８１】
また、カメラ２１とモニタ２２とをユニットとして構成し、ユーザがそのユニットを回転させたり移動させたりすることができるようにしてもよい。
【００８２】
図７は、本発明の効果を説明するための図である。
図を参照して、ユーザは領域２０ｂにフレーム画像が合成されることをモニタ２２で確認しながら、領域２０ｃ内に収めたい被写体の部分を、表示される画像を確認しながら、領域２０ｃ内に収めるようにポーズをとり撮影を行なう。フレーム画像を合成する場合には（Ｂ）に示されるように（Ａ）の領域２０ｂに合成が行なわれるため、ユーザの所望とする画像が得られる。
【００８３】
たとえば、撮影画像の解像度が横１２８０ドット×縦９６０ドットで、モニタ２２の仕様がドットピッチ横０．０８ｍｍ／ドット、縦０．２４ｍｍ／ドットで、表示解像度が横３２０ドット、縦２４０ドットでＲＧＢ表現形式の液晶表示装置の場合で説明する。
【００８４】
合成するフレーム画像の図７（Ｂ）のＷｂのサイズが１４０ドットの場合、上記の表示装置上では１４０÷（１２８０÷３２０）＝３５ドットで表示される。横方向のドットピッチが０．０８ｍｍ／ドットであり、ＲＧＢ表現であることより、３５×０．０８×３＝８．４ｍｍとなる。つまり図７（Ａ）のＷａのサイズは８．４ｍｍと計算で算出できる。
【００８５】
縦に関しても同様な計算でサイズを求めることができる。
また、合成された画像をモニタ２２に実際に表示させ、実測でサイズを決めてもよい。
【００８６】
なお、図８に示されるように、フレーム画像が大中小と複数ある場合には、そのフレームごとに合せた領域をモニタの前に描くようにしてもよい。
【００８７】
また、図９に示されるように、たとえばハート型の画像を撮影画像に対して合成する場合には、それに合せた形態の図形を透明部材に描くようにしてもよい。
【００８８】
さらに、図１０に示されるように画像を合成する領域が広い場合には、たとえば顔を出す部分を領域２０ｃ，２０ｄとして透明部材に明示するようにしてもよい。
【００８９】
また、フレーム画像に限らず、キャラクタ、文字、背景、図形などが合成される場所を透明部材に描くのであれば、本発明を適用することが可能である。
【００９０】
さらに、画像が合成される領域は色をつけたり、ドットで示したり、その周りをラインで囲むなどの方法で示すことができるが、画像が合成される領域を不透明とし、撮影画像においてユーザがその部分を見れなくしてもよい。
【００９１】
なお、図６、図９および図１０に示されるような、モニタ２２の前に設置する部材を複数用意し、ユーザにより任意のものを選択させ、モニタの前にセットさせるようにしてもよい。このようにすることで多種類の合成画像に対応することが可能である。また、部材を取外しおよび交換可能とすることで、メンテナンスがしやすく、画像のバージョンアップなどに対応することができる装置を提供できる。
【００９２】
このようにして、本発明においてはユーザに対し画像を合成する領域が示されるため、合成される他の画像を表示部に表示しなくても、撮影される画像と他の画像との合成後のイメージを確認することが可能となり、合成される他の画像にらないようにユーザがポーズをとることが容易になる。また、ユーザの望みどおりの画像の合成を行なうことができる。さらに、透明部材に画像が合成される位置を描いた部材を用いることにより、ユーザは表示部全体に表示される被写体の画像を確認できるため、合成される位置を示す部材に拘わることなく、従来どおり自由なポーズでの撮影が可能となる。つまり、被写体である利用者が、撮影後に撮影画像と他の画像との合成を好まない場合には、被写体をより大きく撮影することが可能となる。
【００９３】
［他の実施の形態］
図１１は、本発明の他の実施の形態における写真撮影装置での処理を示すフローチャートであり、図５のステップＳ１３０〜Ｓ１６０に対応する処理を示すフローチャートである。
【００９４】
図を参照して、ステップＳ１３０で撮影が行なわれると、ステップＳ１４０でプリントする画像の選択が行なわれる。
【００９５】
ステップＳ１５１で画像に対する編集入力が開始され、ステップＳ１５３でフレームを描くかどうかがユーザの入力に基づいて判定される。
【００９６】
ステップＳ１５３でＹＥＳであれば、ステップＳ１５５でフレームのサイズに合せて画像を縮小し、ステップＳ１５７でフレーム画像を合成する。
【００９７】
ステップＳ１５９で他の編集入力を行ない、ステップＳ１６０で印刷画像を選択した後、図５のステップＳ１７０以降で印刷処理が行なわれる。
【００９８】
図１２は、図１１のステップＳ１５５およびＳ１５７での処理を示す図である。
【００９９】
図１２（Ａ）に示されるように、画像が撮影された後、フレーム画像が入力される場合には、図１２（Ｂ）に示されるように撮影された画像が縮小され、そのまわりにフレーム画像の合成が行なわれる。これにより、フレーム画像により画像の一部が消されることを防止することができる。
【０１００】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【図１】本発明の実施の形態の１つにおける写真撮影装置である、写真自動販売機の外観を示す斜視図である。
【図２】筐体１を正面方向から見た図である。
【図３】筐体１を背面方向から見た図である。
【図４】写真自動販売機の機能ブロック図である。
【図５】写真自動販売機での処理を示すフローチャートである。
【図６】モニタ２２の前に設けられる部材を示す図である。
【図７】本発明の効果を示す図である。
【図８】部材の他の構成例を示す図である。
【図９】部材の他の構成例を示す図である。
【図１０】部材の他の構成例を示す図である。
【図１１】他の実施の形態における処理を示す図である。
【図１２】図１１の処理による効果を説明するための図である。
【図１３】従来技術の問題点を説明するための図である。
【符号の説明】
１　筐体、１２　プリンタ、１３　タブレットディスプレイ、１３ａ　ディスプレイ、１４　タブレットペン、１５　ユーザ、２１　カメラ、２２　モニタ、１０１　パーソナルコンピュータ、１０２　制御部。
【図１】
2004104685.tif 000003
【図２】
2004104685.tif 000004
【図３】
2004104685.tif 000005
【図４】
2004104685.tif 000006
【図５】
2004104685.tif 000007
【図６】
2004104685.tif 000008
【図７】
2004104685.tif 000009
【図８】
2004104685.tif 000010
【図９】
2004104685.tif 000011
【図１０】
2004104685.tif 000012
【図１１】
2004104685.tif 000013
【図１２】
2004104685.tif 000014
【図１３】
2004104685.tif 000015
【手続補正書】
【提出日】平成15年4月3日(2003.4.3)
【手続補正１】
【補正対象書類名】明細書
【補正対象項目名】特許請求の範囲
【補正方法】変更
【補正の内容】
【特許請求の範囲】
【請求項１】
被写体を撮影する撮影手段と、
前記撮影手段により撮影された被写体の画像を表示する表示部と、
前記撮影手段により撮影された被写体の画像に対して他の画像を合成する合成手段とを備え、
前記表示部は、前記合成手段によって他の画像が合成される領域を示す部材を含んでいることを特徴とし、
前記部材は、前記表示部の正面に設けられる、透明部材で画像が合成される領域を示す部材である、写真撮影装置。
【請求項２】
前記部材は、複数の合成画像のそれぞれに対応させた複数の領域を示す、請求項１に記載の写真撮影装置。
【請求項３】
前記部材が複数存在し、その中の少なくとも一部を前記表示部にセットすることが可能となるように構成されている、請求項１または２に記載の写真撮影装置。
【請求項４】
前記部材は、前記領域をラインだけで区別する、請求項１〜３のいずれかに記載の写真撮影装置。
【請求項５】
前記画像が合成される領域の説明を記載した、請求項１〜４のいずれかに記載の写真撮影装置。
【請求項６】
前記画像が合成される領域は、フレーム画像が合成される領域である、請求項１〜５のいずれかに記載の写真撮影装置。
【請求項７】
前記部材は、複数の大きさのフレーム画像のそれぞれに合わせた領域を示す、請求項１〜６のいずれかに記載の写真撮影装置。
【請求項８】
前記合成手段は、前記撮影手段により撮影が行なわれた後に、前記画像の前記部材で示された領域に対して画像を合成する、請求項１〜７のいずれかに記載の写真撮影装置。
【手続補正２】
【補正対象書類名】明細書
【補正対象項目名】００１９
【補正方法】変更
【補正の内容】
【００１９】
【課題を解決するための手段】
上記目的を達成するためこの発明のある局面に従うと、写真撮影装置は、被写体を撮影する撮影手段と、撮影手段により撮影された被写体の画像を表示する表示部と、撮影手段により撮影された被写体の画像に対して他の画像を合成する合成手段とを備え、表示部は、合成手段によって他の画像が合成される領域を示す部材を含んでいることを特徴とし、部材は、表示部の正面に設けられる、透明部材で画像が合成される領域を示す部材である。


【手続補正３】
【補正対象書類名】明細書
【補正対象項目名】００２０
【補正方法】変更
【補正の内容】
【００２０】
この発明に従うと、撮影された被写体の画像を表示する表示部に、合成手段によって他の画像が合成される位置を示す部材が備えられる。これにより、合成される他の画像を表示部に表示しなくても、撮影される画像と他の画像との合成後のイメージを確認することが可能となり、合成される他の画像に被らないようにポーズをとることが容易になる。
また、この発明に従うと、表示部の前の透明部材により画像合成位置を示すことができるため、表示部全体に表示される被写体の画像を確認できるため、合成される位置を示す部材に拘わることなく、従来どおり自由なポーズでの撮影が可能となる。
つまり、被写体である利用者が、撮影後に撮影画像と他の画像との合成を好まない場合には、被写体をより大きく撮影することが可能となる。
【手続補正４】
【補正対象書類名】明細書
【補正対象項目名】００２１
【補正方法】削除
【補正の内容】
【手続補正５】
【補正対象書類名】明細書
【補正対象項目名】００２２
【補正方法】削除
【補正の内容】
【手続補正６】
【補正対象書類名】明細書
【補正対象項目名】００２３
【補正方法】削除
【補正の内容】
【手続補正７】
【補正対象書類名】明細書
【補正対象項目名】００２４
【補正方法】変更
【補正の内容】
【００２４】
好ましくは部材は、複数の合成画像のそれぞれに対応させた複数の領域を示す。


【手続補正８】
【補正対象書類名】明細書
【補正対象項目名】００２５
【補正方法】変更
【補正の内容】
【００２５】
この発明に従うと、複数の合成画像のそれぞれに対応させた複数の領域が部材により示されるため、利用者は自分の選択したい合成画像に合わせた撮影を行なうことができる。


【手続補正９】
【補正対象書類名】明細書
【補正対象項目名】００２７
【補正方法】変更
【補正の内容】
【００２７】
この発明に従うと、複数の部材の中から所望のものを少なくとも一部選択して利用者が表示部にセットすることができるため、利用者は自分の必要とする合成画像に合わせた撮影を行なうことができる。
好ましくは部材は、領域をラインだけで区別する。
好ましくは写真撮影装置には、画像が合成される領域の説明が記載されている。
好ましくは画像が合成される領域は、フレーム画像が合成される領域である。
好ましくは部材は、複数の大きさのフレーム画像のそれぞれに合わせた領域を示す。
好ましくは合成手段は、撮影手段により撮影が行なわれた後に、画像の部材で示された領域に対して画像を合成する。